(57)【要約】【課題】  タッチパッドの貼膜及び検査を全自動で行う貼膜及び検査装置を提供する。【解決手段】  主に伝送機構２００、貼膜装置３００および検査装置４００からなる。伝送機構２００はタッチパッド１０を伝送する。貼膜装置３００は脱膜台を有し、一時的に巻ベルト上に貼付いた保護膜を自動的に取り出せるようにするとともに、貼膜機構の真空吸引方式により保護膜を吸い付け、保護膜をタッチパッド１０の表面に貼付ける。検査装置４００は、測定棒４３０がタッチパッド１０上で所定の軌跡を進んで、タッチパッド１０から出力された測定値をコンピュータ装置へ入力し、且つコンピュータ装置に予め設定された設定値と比較し、合格と不合格のタッチパッド１０へ選別する。【選択図】  図１
2005215822.tif 000002
【特許請求の範囲】
【請求項１】
少なくとも一つのタッチパッドに対して貼膜及び検査を行い、前記タッチパッドの底面が複数個の接点を有し、少なくとも一つの入力端および少なくとも一つの出力端を有し、前記タッチパッドを前記伝送機構上へ載せるとともに、前記伝送機構により伝送し、前記タッチパッドを前記入力端から前記出力端までの伝送経路で移動する伝送機構と、前記伝送機構の上方に配置され、且つ前記入力端後の前記伝送経路上に配置された貼膜装置とを備える貼膜及び検査装置であって、
前記貼膜装置が複数個のローラと、保護膜が表面に貼られ前記ローラ上に巻き付ける巻ベルトと、回転角部とを有し、
前記ローラ中の二つのローラ間に配置され、且つ前記巻ベルトを前記回転角部上に巻き付け、前記巻ベルトが前記回転角部の所へ移動した時、前記保護膜が前記巻ベルトの表面から脱離する脱膜台と、
前記回転角部の一側に位置し、且つ前記回転角部と間隔を維持し、前記貼膜機構は前記巻ベルトの表面から脱離する前記保護膜を吸着するとともに、前記保護膜を前記タッチパッドの上面に貼る貼膜機構とを有することを特徴とする貼膜及び検査装置。
【請求項２】
前記伝送機構は検査装置に接続されて、該検査装置は前記貼膜装置の前記伝送経路上に位置することを特徴とする請求項１記載の貼膜及び検査装置。
【請求項３】
前記検査装置は
少なくとも一つの探知針を有し、前記タッチパッドの検査を行う時、前記タッチパッドを検査プラットフォーム上へ伝送し、前記探知針と前記接点の一つとを接触させる前記プラットフォームと、
前記探知針と電気的に接続したコンピュータ装置と、
前記タッチパッドの上面において所定の軌跡を進行させるのに適用するとともに、前記タッチパッドから出力された測定値を前記コンピュータ装置中へ入力し、前記コンピュータ装置が予め設定した設定値と比較する少なくとも一つの測定棒とを有する請求項２記載の貼膜及び検査装置。
【請求項４】
前記ローラの一つはフィーダローラであり、前記巻ベルトの一端を前記フィーダローラ上に固定することを特徴とする請求項１記載の貼膜及び検査装置。
【請求項５】
前記フィーダローラは受動ローラであることを特徴とする請求項４記載の貼膜及び検査装置。
【請求項６】
前記ローラの一つは巻取ローラであり、前記巻ベルトの他の一端を前記巻取ローラ上に固定することを特徴とする請求項４記載の貼膜及び検査装置。
【請求項７】
前記巻取ローラは主動ローラであることを特徴とする請求項６記載の貼膜及び検査装置。
【請求項８】
前記ローラの一つは伝送ローラであり、前記伝送ローラが前記フィーダローラと前記巻取ローラとの間に位置することを特徴とする請求項６記載の貼膜及び検査装置。
【請求項９】
前記伝送ローラは受動ローラであることを特徴とする請求項８記載の貼膜及び検査装置。
【請求項１０】
前記貼膜機構は、吸引機構と、前記吸引機構に接続して前記吸引機構を移動する連動機構とを備える貼膜及び検査装置であって、
前記吸引機構が、真空管と、その表面に複数個の吸付孔を有し、前記吸盤を前記真空管の一端に配置し、且つ前記吸付孔と前記真空管とを繋げる吸盤と、
前記真空管上に配置された空気ポンプとを少なくとも有することを特徴とする請求項１記載の貼膜及び検査装置。
【請求項１１】
前記貼膜機構はアライメント機構をさらに含み、前記アライメント機構は、
前記吸盤上に配置するＬ形ブロックと、前記吸盤の側辺に配置され、推頂部材で前記保護膜の辺縁を推し、前記保護膜を前記Ｌ形ブロック上に当てる少なくとも一つの前記推頂部材とを有することを特徴とする請求項１０記載の貼膜及び検査装置。
【請求項１２】
前記タッチパッドを載せるキャリアと、
前記キャリアに接続するとともに、前記キャリアを移動して前記タッチパッドを選別するサーボ滑台とを少なくとも備える選別機構をさらに有することを特徴とする請求項１記載の貼膜及び検査装置。
【請求項１３】
保護膜をタッチパッドの上面に貼付けるのに適した貼膜装置であって、前記タッチパッドの貼膜装置が、
複数個のローラと、保護膜が表面に貼られ、前記ローラ上に巻き付ける巻ベルトと、
回転角部を有し、前記ローラ中の二つのローラ間に配置し、且つ前記巻ベルトを前記回転角部上に巻き付け、前記巻ベルトが前記回転角部の所へ移動した時、前記保護膜が前記巻ベルトの表面から脱離する脱膜台と、
前記回転角部の一側に位置し、且つ前記回転角部と間隔を維持し、前記貼膜機構は前記巻ベルトの表面から脱離する保護膜を吸着するとともに、前記保護膜を前記タッチパッドの上面に貼る貼膜機構とを有することを特徴とする貼膜装置。
【請求項１４】
前記ローラの一つはフィーダローラであり、前記巻ベルトの一端を前記フィーダローラ上に固定することを特徴とする請求項１３記載の貼膜装置。
【請求項１５】
前記フィーダローラは受動ローラであることを特徴とする請求項１４記載の貼膜装置。
【請求項１６】
前記ローラの一つは巻取ローラであり、前記巻ベルトの他の一端を前記巻取ローラ上に固定することを特徴とする請求項１４記載の貼膜装置。
【請求項１７】
前記巻取ローラは主動ローラであることを特徴とする請求項１６記載の貼膜装置。
【請求項１８】
前記ローラの一つは伝送ローラであり、前記伝送ローラが前記フィーダローラと前記巻取ローラとの間に位置することを特徴とする請求項１６記載の貼膜装置。
【請求項１９】
前記伝送ローラは受動ローラであることを特徴とする請求項１８記載の貼膜装置。
【請求項２０】
前記貼膜機構は、吸引機構と、前記吸引機構に接続して前記吸引機構を移動する連動機構とを備える貼膜装置であって、
前記吸引機構が、真空管と、その表面に複数個の吸付孔を有し、前記吸盤を前記真空管の一端に配置し、且つ前記吸付孔と前記真空管とを繋げる吸盤と、
前記真空管上に配置された空気ポンプとを少なくとも有することを特徴とする請求項１３記載の貼膜装置。
【請求項２１】
前記貼膜機構はアライメント機構をさらに含み、前記アライメント機構は、
前記吸盤上に配置するＬ形ブロックと、前記吸盤の側辺に配置され、推頂部材で前記保護膜の辺縁を推し、前記保護膜を前記Ｌ形ブロック上に当てる少なくとも一つの前記推頂部材とを有することを特徴とする請求項２０記載の貼膜装置。
【請求項２２】
少なくとも一つのタッチ装置を検査し、前記タッチ装置の底面が複数個の接点を備える検査装置であって、
少なくとも一つの探知針を有し、前記タッチ装置が検査を行う時、前記タッチ装置を検査プラットフォーム上へ伝送し、前記探知針と前記接点の一つとを接触させる前記プラットフォームと、
前記探知針と電性接続したコンピュータ装置と、
前記タッチ装置の上面において所定の軌跡を進むとともに、前記タッチ装置から出力された測定値を前記コンピュータ装置中へ入力し、前記コンピュータ装置が予め設定した設定値と比較する少なくとも一つの測定棒とを有する検査装置。
【請求項２３】
前記タッチ装置を載せるキャリアと、
前記キャリアに接続するとともに、前記キャリアを移動して前記タッチ装置を選別するサーボ滑台とを少なくとも備える選別機構をさらに有することを特徴とする請求項２２記載の検査装置。
【発明の詳細な説明】
【技術分野】
【０００１】
本発明は貼膜及び検査装置に関し、特にタッチパッド（Touch Pad）の貼膜及び検査を全自動で行う貼膜及び検査装置に関する。
【背景技術】
【０００２】
近時、電子機器は高速度、高機能、軽薄短小という要求に合わせ、電子部品は小型化に向かっており、例えばノートブック型コンピュータ（Note Book）、携帯電話（Cell Phone）、電子辞典、パーソナルデジタルアシスタント（Personal Digital Assistant：ＰＤＡ）、ウェブパッド（web pad）及びタブレット型コンピュータ（Tablet PC）などの各種携帯型電子装置が次第に主流となっている。そして情報化の発展とともに、コンピュータと日常生活は切っても切れない関係となっている。
【０００３】
ノートブック型コンピュータを例にとると、通常はマウスをノートブック型コンピュータの操作インターフェイス（即ち入力インターフェイス）とし、ユーザはマウスの操作キイを操作することにより、ノートブック型コンピュータ内部のホストシステムの各機能を制御することができる。つまり、現在のノートブック型コンピュータは伝達を有線方式により行っているということである。
しかし、有線マウスはノートブック型コンピュータと接続されているため、ユーザが操作する際、伝送線の制限を容易に受けた。そのため、例えば、特許文献１に開示されるように、現在ではノートブック型コンピュータのボディー上にタッチパッド（Touch Pad）を設置し、タッチパッド上でユーザの指先を滑らせて、スクリーン上に表示されたポインターを移動することにより、マウスの働きを代替している。
【０００４】
ここで注意しなければならないことは、通常タッチパッド上をユーザの指先が反復して滑ることにより、タッチパッドの上面が傷つくことを防ぐように、ノートブック型コンピュータへ組立てる前に保護膜を貼らなければならないことである。
しかし現在、ほとんどの保護膜の貼付けは手作業或いは治具を利用した半自動方式により行われているが、言い換えると、現在、保護膜の脱膜から貼付までの作業は全自動化の段階に達していないため、保護膜の組立時間が増加して、タッチパッド完成品の生産効率と歩留まりに影響を与えた。
【０００５】
また、通常、タッチパッドを保護膜へ貼付けた後は検査作業を実施し、タッチパッドの感度を検査して合格したものと不合格したものとに選り分ける。しかし、タッチパッドの検査作業は、検査するタッチパッドとコンピュータ装置とを電性接続し、例えばタッチペンをタッチパッドの表面に滑らし、コンピュータの表示スクリーンから映像を出力し、ポインターの移動状況を表示する。そして、作業員がポインターの移動状況を目測により観察して、タッチパッドの感度を判断するなどといった人為的作業に頼っている。しかし、このような手作業によりタッチパッドの感度を判断する場合、労働コストが無駄となるだけでなく、各作業員の主観的要素が入ったためタッチパッドの品質管理レベルが不均一となり、タッチパッドの歩留まりが低下した。
【特許文献１】特開２００１−３３７７８５号公報
【発明の開示】
【発明が解決しようとする課題】
【０００６】
本発明の主な目的は、タッチパッドに対して全自動化された貼膜作業を行い、保護膜の組立作業時間を短縮し、タッチパッドの生産効率を向上させる貼膜及び検査装置を提供することにある。
本発明のもう一つの目的は、タッチパッドに対して全自動化された貼膜作業を行い、検査効率を向上し、タッチパッドの歩留まりを向上する貼膜及び検査装置を提供することにある。
【課題を解決するための手段】
【０００７】
上で述べた目的を達成するために、請求項１の発明は、少なくとも一つのタッチパッドに対して貼膜及び検査を行い、前記タッチパッドの底面が複数個の接点を有し、少なくとも一つの入力端および少なくとも一つの出力端を有し、前記タッチパッドを前記伝送機構上へ載せるとともに、前記伝送機構により伝送し、前記タッチパッドを前記入力端から前記出力端までの伝送経路で移動する伝送機構と、前記伝送機構の上方に配置され、且つ前記入力端後の前記伝送経路上に配置された貼膜装置とを備える貼膜及び検査装置であって、前記貼膜装置が複数個のローラと、保護膜が表面に貼られ前記ローラ上に巻き付ける巻ベルトと、回転角部とを有し、前記ローラ中の二つのローラ間に配置され、且つ前記巻ベルトを前記回転角部上に巻き付け、前記巻ベルトが前記回転角部の所へ移動した時、前記保護膜が前記巻ベルトの表面から脱離する脱膜台と、前記回転角部の一側に位置し、且つ前記回転角部と間隔を維持し、前記貼膜機構は前記巻ベルトの表面から脱離する前記保護膜を吸着するとともに、前記保護膜を前記タッチパッドの上面に貼る貼膜機構とを有することを特徴とする貼膜及び検査装置である。
【０００８】
すなわち、本発明は、少なくとも一つのタッチパッドに対して貼膜及び検査を適用し、主に伝送機構、貼膜装置および検査装置からなる貼膜及び検査装置を提供する。伝送機構が、少なくとも一つの入力端および少なくとも一つの出力端を有し、タッチパッドを伝送機構上へ載せるとともに、伝送機構により伝送し、タッチパッドを入力端から出力端までの伝送経路で移動する。
また、貼膜装置を伝送機構の上方で、入力端後の伝送経路上へ配置し、この貼膜装置は主に複数個のローラ、巻ベルト、脱膜台および貼膜機構からなる。巻ベルトの表面には保護膜が貼られ、巻ベルトをローラ上に巻き付ける。脱膜台は回転角部を有し、この脱膜台をローラ中の二つのローラ間に配置し、且つ巻ベルトを回転角部上に巻き付け、巻ベルトが回転角部の所へ移動した時、保護膜が巻ベルトの表面から脱離する。貼膜機構を回転角部の一側に位置し、且つ回転角部と間隔を維持する。貼膜機構は巻ベルトの表面から脱離する保護膜を吸着するとともに、保護膜をタッチパッドの上面に貼る貼膜機構とを有する。
【０００９】
請求項２の発明は、前記伝送機構は検査装置に接続されて、該検査装置は前記貼膜装置の前記伝送経路上に位置することを特徴とする請求項１記載の貼膜及び検査装置である。
請求項３の発明は、前記検査装置は、少なくとも一つの探知針を有し、前記タッチパッドの検査を行う時、前記タッチパッドを検査プラットフォーム上へ伝送し、前記探知針と前記接点の一つとを接触させる前記プラットフォームと、前記探知針と電気的に接続したコンピュータ装置と、前記タッチパッドの上面において所定の軌跡を進行させるのに適用するとともに、前記タッチパッドから出力された測定値を前記コンピュータ装置中へ入力し、前記コンピュータ装置が予め設定した設定値と比較する少なくとも一つの測定棒とを有する請求項２記載の貼膜及び検査装置である。
すなわち、これらの発明は、検査装置は伝送機構と接続され、貼膜装置後の伝送経路上に位置する。プラットフォームは少なくとも一つの探知針を有し、タッチパッドを検査する時、そのタッチパッドを検査プラットフォーム上へ伝送し、タッチパッド底部の接点と探知針とを接触させる。コンピュータ装置を探知針と電性接続し、タッチパッドの上面において検査筆を所定の軌跡で動かし、タッチパッドから出力された測定値をコンピュータ装置中へ入力し、コンピュータ装置が予め設定した設定値と比較する。
【００１０】
請求項４の発明は、前記ローラの一つはフィーダローラであり、前記巻ベルトの一端を前記フィーダローラ上に固定することを特徴とする請求項１記載の貼膜及び検査装置である。
請求項５の発明は、前記フィーダローラは受動ローラであることを特徴とする請求項４記載の貼膜及び検査装置である。
請求項６の発明は、前記ローラの一つは巻取ローラであり、前記巻ベルトの他の一端を前記巻取ローラ上に固定することを特徴とする請求項４記載の貼膜及び検査装置である。
請求項７の発明は、前記巻取ローラは主動ローラであることを特徴とする請求項６記載の貼膜及び検査装置である。
請求項８の発明は、前記ローラの一つは伝送ローラであり、前記伝送ローラが前記フィーダローラと前記巻取ローラとの間に位置することを特徴とする請求項６記載の貼膜及び検査装置である。
請求項９の発明は、前記伝送ローラは受動ローラであることを特徴とする請求項８記載の貼膜及び検査装置である。
すなわち、これらの発明は、前記の複数個のローラ中の一つはフィーダローラであり、巻ベルトの一端をフィーダローラ上に固定し、フィーダローラは受動ローラである。また、前記の複数個のローラ中の一つは巻取ローラであり、巻ベルトの他の一端を巻取ローラ上に固定し、この巻取ローラは例えば主動ローラであり、この巻ベルトを引っ張り、巻ベルト上の保護膜を脱膜台の回転角部に沿って移動し、空の巻ベルトを巻き取る。また、前記の複数個のローラ中の残りのローラは伝送ローラであり、それはフィーダローラと巻取ローラとの間に位置する。また、この伝送ローラは例えば受動ローラであり、巻ローラの移動を更にスムーズにする。
【００１１】
請求項１０の発明は、前記貼膜機構は、吸引機構と、前記吸引機構に接続して前記吸引機構を移動する連動機構とを備える貼膜及び検査装置であって、前記吸引機構が、真空管と、その表面に複数個の吸付孔を有し、前記吸盤を前記真空管の一端に配置し、且つ前記吸付孔と前記真空管とを繋げる吸盤と、前記真空管上に配置された空気ポンプとを少なくとも有することを特徴とする請求項１記載の貼膜及び検査装置である。
すなわち、本発明は、前記の貼膜機構は主に吸引機構および連動機構からなり、吸引機構は少なくとも真空管、吸盤および空気ポンプを含む。吸盤の表面には複数個の吸付孔があり、この吸盤を真空管の一端へ配置し、これら吸付孔と真空管とを繋げ、空気ポンプを真空管上へ配置し、真空管内の空気を抜き取って低い気圧、ひいては真空状態を形成し、保護膜に吸盤を吸着させ、連動機構を吸引機構に接続し、吸引機構を移動し、吸盤上に吸付いた保護膜をタッチパッドの上面に貼り付ける。
【００１２】
請求項１１の発明は、前記貼膜機構はアライメント機構をさらに含み、前記アライメント機構は、
前記吸盤上に配置するＬ形ブロックと、前記吸盤の側辺に配置され、推頂部材で前記保護膜の辺縁を推し、前記保護膜を前記Ｌ形ブロック上に当てる少なくとも一つの前記推頂部材とを有することを特徴とする請求項１０記載の貼膜及び検査装置である。
すなわち、本発明は、貼膜機構は主にＬ形ブロック及び少なくとも一つの推頂部材からなるアライメント機構を更に含む。Ｌ形ブロックを吸盤上へ配置し、推頂部材を吸盤の側辺へ配置し、推頂部材が保護膜の辺縁を推し、保護膜をＬ形ブロック上へ当てて定位の根拠とする。
【００１３】
請求項１２の発明は、前記タッチパッドを載せるキャリアと、前記キャリアに接続するとともに、前記キャリアを移動して前記タッチパッドを選別するサーボ滑台とを少なくとも備える選別機構をさらに有することを特徴とする請求項１記載の貼膜及び検査装置である。
すなわち、本発明は、前記の検査装置は、少なくとも、主にキャリアおよびサーボ滑台からなる選別機構を更に含み、キャリアにタッチパッドを載せ、サーボ滑台をキャリアに接続して移動させ、タッチパッドを選別する。
【００１４】
同様に、請求項１３の発明は、保護膜をタッチパッドの上面に貼付けるのに適した貼膜装置であって、前記タッチパッドの貼膜装置が、複数個のローラと、保護膜が表面に貼られ、前記ローラ上に巻き付ける巻ベルトと、回転角部を有し、前記ローラ中の二つのローラ間に配置し、且つ前記巻ベルトを前記回転角部上に巻き付け、前記巻ベルトが前記回転角部の所へ移動した時、前記保護膜が前記巻ベルトの表面から脱離する脱膜台と、前記回転角部の一側に位置し、且つ前記回転角部と間隔を維持し、前記貼膜機構は前記巻ベルトの表面から脱離する保護膜を吸着するとともに、前記保護膜を前記タッチパッドの上面に貼る貼膜機構とを有することを特徴とする貼膜装置である。
請求項１４の発明は、前記ローラの一つはフィーダローラであり、前記巻ベルトの一端を前記フィーダローラ上に固定することを特徴とする請求項１３記載の貼膜装置である。
請求項１５の発明は、前記フィーダローラは受動ローラであることを特徴とする請求項１４記載の貼膜装置である。
請求項１６の発明は、前記ローラの一つは巻取ローラであり、前記巻ベルトの他の一端を前記巻取ローラ上に固定することを特徴とする請求項１４記載の貼膜装置である。
請求項１７の発明は、前記巻取ローラは主動ローラであることを特徴とする請求項１６記載の貼膜装置である。
請求項１８の発明は、前記ローラの一つは伝送ローラであり、前記伝送ローラが前記フィーダローラと前記巻取ローラとの間に位置することを特徴とする請求項１６記載の貼膜装置である。
請求項１９の発明は、前記伝送ローラは受動ローラであることを特徴とする請求項１８記載の貼膜装置である。
請求項２０の発明は、前記貼膜機構は、吸引機構と、前記吸引機構に接続して前記吸引機構を移動する連動機構とを備える貼膜装置であって、前記吸引機構が、真空管と、その表面に複数個の吸付孔を有し、前記吸盤を前記真空管の一端に配置し、且つ前記吸付孔と前記真空管とを繋げる吸盤と、前記真空管上に配置された空気ポンプとを少なくとも有することを特徴とする請求項１３記載の貼膜装置である。
請求項２１の発明は、前記貼膜機構はアライメント機構をさらに含み、前記アライメント機構は、
前記吸盤上に配置するＬ形ブロックと、前記吸盤の側辺に配置され、推頂部材で前記保護膜の辺縁を推し、前記保護膜を前記Ｌ形ブロック上に当てる少なくとも一つの前記推頂部材とを有することを特徴とする請求項２０記載の貼膜装置である。
請求項２２の発明は、少なくとも一つのタッチ装置を検査し、前記タッチ装置の底面が複数個の接点を備える検査装置であって、少なくとも一つの探知針を有し、前記タッチ装置が検査を行う時、前記タッチ装置を検査プラットフォーム上へ伝送し、前記探知針と前記接点の一つとを接触させる前記プラットフォームと、前記探知針と電性接続したコンピュータ装置と、前記タッチ装置の上面において所定の軌跡を進むとともに、前記タッチ装置から出力された測定値を前記コンピュータ装置中へ入力し、前記コンピュータ装置が予め設定した設定値と比較する少なくとも一つの測定棒とを有する検査装置である。
請求項２３の発明は、前記タッチ装置を載せるキャリアと、前記キャリアに接続するとともに、前記キャリアを移動して前記タッチ装置を選別するサーボ滑台とを少なくとも備える選別機構をさらに有することを特徴とする請求項２２記載の検査装置である。
【発明の効果】
【００１５】
上述したように、本発明は全自動化された貼膜及び検査装置であるから、貼膜装置は、脱膜台が一時的に巻ベルト上にある保護膜を自動的に水平から取り出し、真空吸引方式により巻ベルト上から出た保護膜を吸着させると同時に保護膜をタッチパッドの表面に貼り付けることにより、保護膜の組立作業時間を短縮してタッチパッドの生産効率を高める。また、検査装置は、タッチパッド上において機械式の測定棒を所定の軌跡で動かすとともに、タッチパッドから出力された測定値をコンピュータ装置へ入力し、且つコンピュータ装置に予め設定された設定値と比較し、合格と不合格のタッチパッドを選別して検査効率を高め、更にはタッチパッドの歩留まりを高めることができる。
【発明を実施するための最良の形態】
【００１６】
本発明の実施例を図に沿って説明するが、図１は、本発明の好適な実施例の貼膜及び検査装置を示す上面図である。図１に示すように、本実施例の貼膜及び検査装置１００を複数個のタッチパッド１０に適用して全自動化された貼膜及び検査作業を行う。本実施例の貼膜及び検査装置１００は主に伝送機構２００、貼膜装置３００及び検査装置４００からなる。
ところで、前記タッチパッドは、その底面が複数個の接点を有し、少なくとも一つの入力端および少なくとも一つの出力端を有している。
【００１７】
前記伝送機構２００は、例えば、輸送ベルト及び駆動装置からなり、駆動装置は輸送ベルトを回転させて、タッチパッド１０を伝送機構２００上に載せて伝送し、伝送経路Ａに沿ってタッチパッド１０を移動させる。伝送機構２００は少なくとも一つの入力端及び少なくとも一つの出力端を有する。本実施例において、伝送機構２００は入力端２０２及び二つの出力端２０４，２０６を有し、出力端２０４は不合格のタッチパッド１０を出力し、出力端２０６は合格したタッチパッド１０を出力する。
【００１８】
図２は、本発明の好適な実施例の貼膜装置を示す側面図である。図２に示すように、貼膜装置３００は伝送機構１００の上方、且つ、図１の入力端２０２の伝送経路Ａ上に位置し、この貼膜装置３００は主に複数個のローラ３１０、巻ベルト３２０、脱膜台３３０及び貼膜機構３４０からなる。巻ベルト３２０の表面は光滑面であり、そこに複数個の保護膜２０を貼り、巻ベルト３２０をローラ３１０上に巻きつけ、巻ベルト３２０はこれらローラ３１０により動かされ、伝送経路Ｂに沿って巻ベルト３２０上の保護膜２０を移動させる。
本実施例によると、上述のローラ３１０はフィーダローラ３１０ａ、巻取ローラ３１０ｂ及び複数個の伝送ローラ３１０ｃから構成されており、フィーダローラ３１０ａは、例えば受動ローラであり、巻ベルト３２０の一端をこのフィーダローラ３１０ａ上に固定し、ほとんどの部分に保護膜２０が貼られた巻ベルト３２０をフィーダローラ３１０ａ上に巻きつける。また、巻ベルト３２０のもう一端を巻取ローラ３１０ｂ上へ固定し、例えば、主動ローラとして巻取ローラを使用してこの巻ベルト３２０を引っ張るとともに、脱膜後の空の巻ベルト３２０を巻き取る。また、伝送ローラ３１０ｃはフィーダローラ３１０ａと巻取ローラ３１０ｂとの間に位置し、数が限定されない受動ローラなどの伝送ローラ３１０ｃを使用して巻ベルト３２０の移動をさらにスムーズにする。
【００１９】
図２に示すように、脱膜台３３０は鋭角的に進路を変更する回転角部３３２を有し、この回転角部３３２で巻ベルト３２０が進路変更をする際に巻ベルト３２０から保護膜２０を脱離させ、この脱膜台３３０をローラ３１０中の二つのローラ（本実施例では、伝送ローラ３１０ｃと巻取ローラ３１０ｂとの間に位置する。）の間に配置し、巻ベルト３２０を回転角部３３２上に巻きつける。上述の巻取ローラ３１０ｂの巻き取りにより、巻ベルト３２０上の保護膜２０は脱膜台３３０の回転角部３３２に沿って移動し、巻ベルト３２０が回転角部３３２の所へ移動した時に、保護膜２０は巻ベルト３２０の表面レベルから離れる。
【００２０】
また、貼膜機構３４０は回転角部３３２の一側に位置し、回転角部３３２と一定の間隔を保つ。貼膜機構３４０は主に吸引機構３５０及び連動機構３６０からなる。吸引機構３５０は主に少なくとも真空管３５２、吸盤３５４及び空気ポンプ３５６からなる。吸盤３５４の表面には複数個の吸付孔３５４ａがあり、この吸盤３５４を真空管３５２の一端へ配置し、これら吸付孔３５４ａと真空管３５２とを繋げ、空気ポンプ３５６を真空管３５２上へ配置する。空気ポンプ３５６は真空管３５２内の空気を抜き取って低い気圧、ひいては真空状態を形成し、巻ベルト３２０の表面から離れた保護膜２０を吸盤３５４に吸着させる。保護膜２０は一定の硬度を有し、巻ベルト３２０が回転角部３３２の所へ移動した時、保護膜２０が巻きベルト３２０の表面から容易に離れるため、貼膜機構３４０と回転角部３３２とを設置した時に適当な間隔を保つことができ、真空吸引方式により保護膜２０を吸着する効果を達成することができる。
【００２１】
コインロッドなどの連動機構３６０は吸引機構３５０に接続され、吸引機構３５０を移動する。連動機構３６０により吸引機構３５０を移動し、吸盤３５４上に吸着された保護膜２０をタッチパッド１０の上面に貼付けて、貼膜の組立て作業を完了する。上述したことから分かるように、本発明の貼膜装置は、脱膜から貼膜までの全工程が自動化され、人為的な貼膜作業を行う必要がないため、保護膜の組立時間を短縮してタッチパッド製品の生産効率を高めることができる。
【００２２】
図３及び図４は、本発明の好適な実施例の貼膜機構が保護膜を定位させる前後を示す図である。図３及び図４に示すように、貼膜機構３４０は主にＬ形ブロック３７２及び少なくとも一つの推頂部材３７４からなるアライメント機構３７０を更に含む。Ｌ形ブロック３７２を吸盤３５４上へ配置し、推頂部材３７４を吸盤３５４の側辺へ配置する。吸盤３５４が吸着する保護膜２０（点線により表示）の位置が偏移する時、推頂部材３７４は保護膜２０の両隣の二辺を推すとともに、保護膜２０の他の両隣辺をＬ形ブロック３７２上へ当てて定位の根拠とする。このように貼膜機構３４０は、保護膜２０をタッチパッド１０の上面へ確実に貼付けることができる。
【００２３】
ここで注意しなければならないことは、保護膜２０を定位させる上述の動作過程が更にスムーズとなるように、吸引機構を二段式の吸入真空タイプに設計し、第一段の吸入真空区域が吸盤３５４の辺縁位置に対応し、第二段の吸入真空の区域は吸盤３５４の中央位置に対応する。保護膜２０が前述したように巻テープの表面レベルから離れたとき、先ず二つの吸入真空区域が同時に保護膜２０を吸着してから、第一段の吸入真空をオフし、第一段の吸入真空がオフした後、吸盤３５４の辺縁位置は吸引力を有さないため、前述の推頂部材３７４が保護膜２０の辺縁を推して、定位動作を行うことが便利となり、続いて保護膜２０の定位を完了した後に、第一段の吸入真空を再びオンしてから、最後に保護膜２０を再び押し下げて貼膜動作を完了する。
【００２４】
図５は、本発明の好適な実施形態の検査装置を示す側面図である。図１及び図５に示すように、検査装置４００と伝送機構２００とを接続し、それは主に検査プラットフォーム４１０、コンピュータ装置４２０及び少なくとも一つの測定棒４３０からなる。検査プラットフォーム４１０は複数個の探知針４１２を有し、タッチパッド１０が前述の貼膜作業を経てから、伝送機構２００により伝送されてタッチパッド１０を検査プラットフォーム４１０上へ伝送し、タッチパッド１０の底部にある複数個の接点１０ａと検査プラットフォーム４１０上の探知針４１２とを接触させる。コンピュータ装置４２０とこれら探知針４１２とを電気的に接続し、測定棒４３０は機械式の方式によりタッチパッド１０の上面を所定軌跡で移動し、タッチパッド１０から出力された測定値をコンピュータ装置４２０へ入力し、コンピュータ装置４２０に予め設定された設定値と比較する。
【００２５】
簡単に言うと、コンピュータ装置４２０に入力する測定値とコンピュータ装置４２０中の設定値とが合理的な誤差範囲内にある場合、この測定されたタッチパッド１０は合格したタッチパッドと認定される。反対に、コンピュータ装置４２０に入力した検査値およびコンピュータ装置４２０中の設定値が前記の合理的な誤差範囲を超えた場合、測定されたタッチパッド１０は不合格のタッチパッドと認定される。上述したことから分かるように、本発明の検査装置は測定を全自動化するという目的を達成し、従来技術のように人為的な目測方式によりタッチパッドの感度を判断する必要がないため、検査効率を高めてタッチパッドの歩留まり率を向上させることができる。
【００２６】
図１に示すように、検査装置４００は、主に少なくともキャリア４４２およびサーボ滑台４４４からなる選別機構４４０を更に含む。キャリア４４２にタッチパッド１０を載せ、サーボ滑台４４４をキャリア４４２に接続して移動させ、タッチパッド１０を選別する。本実施例において、前記の検査装置４００が、合格および不合格のタッチパッドを検出すると、サーボ滑台４４４はキャリア４４２を動かし、合格および不合格のタッチパッド１０をそれぞれ載せ、合格および不合格のタッチパッド１０をそれぞれ出力端２０４および出力端２０６上へ移動させてタッチパッド１０を選別する。
【００２７】
ここで注意しなければならないことは、実施例中では検査装置をノートブック型コンピュータ用のタッチパッド（Touch Pad）として説明したが、当該技術に習熟している者なら分かるように、本発明の検査装置はタッチパッドの検査だけに限定されるわけではなく、例えば、ＰＤＡ或いはフラットコンピュータのタッチパネル（Touch Panel）などの、あらゆる接触制御装置上に運用することができる。
【００２８】
本実施例が開示したものは、単なる好適な実施例であり、これは本発明が実施する範囲を制限するものではなく、本発明の特許請求範囲および明細書の内容にした簡単な同じ効果の変更および修飾は、本発明の特許権の範疇を脱しないものとする。
【図面の簡単な説明】
【００２９】
【図１】本発明の好適な実施例の貼膜及び検査装置を示す上面図である。
【図２】本発明の好適な実施例の貼膜装置を示す側面図である。
【図３】本発明の好適な実施例の貼膜機構が保護膜を定位させる前を示す図である。
【図４】本発明の好適な実施例の貼膜機構が保護膜を定位さた後の図である。
【図５】本発明の好適な実施例の検査装置を示す側面図である。
【符号の説明】
【００３０】
１０    タッチパッド
１０ａ  接点
２０    保護膜
１００  貼膜及び検査装置
２００  伝送機構
２０２  入力端
２０４  出力端
２０６  出力端
３００  貼膜装置
３１０  ローラ
３１０ａ  フィーダローラ
３１０ｂ  巻取ローラ
３１０ｃ  伝送ローラ
３２０  巻ベルト
３３０  脱膜台
３３２  回転角部
３４０  貼膜機構
３５０  吸引機構
３５２  真空管
３５４  吸盤
３５４ａ  吸付孔
３５６  空気ポンプ
３６０  連動機構
３７０  アライメント機構
３７２  Ｌ形ブロック
３７４  推頂部材
４００  検査装置
４１０  検査プラットフォーム
４１２  探知針
４２０  コンピュータ装置
４３０  測定棒
４４０  選別機構
４４２  キャリア
４４４  サーボ滑台
【図１】
2005215822.tif 000003
【図２】
2005215822.tif 000004
【図３】
2005215822.tif 000005
【図４】
2005215822.tif 000006
【図５】
2005215822.tif 000007